(57)【要約】      （修正有）【課題】通信装置の状態について把握することができる情報処理装置を提供する。【解決手段】情報処理装置２は、通信装置から情報を受信する受信部３１と、受信部が通信装置から当該通信装置の位置に関連する情報を含む通知情報を受信すると、当該通知情報に基づいて通信装置の位置情報を取得する取得部３２と、通知情報が所定のスケジュールに従って通信装置から受信されたかを判定する第１判定部３３と、所定のスケジュールに従って受信されなかったと判定されると、過去に通信装置から受信した通知情報に基づいて取得した位置情報を出力する出力部３４と、を備える。【選択図】図２
2018157464.tif 000002
【特許請求の範囲】
【請求項１】
通信装置から情報を受信する受信部と、
前記受信部が前記通信装置から当該通信装置の位置に関連する情報を含む通知情報を受信すると、当該通知情報に基づいて前記通信装置の位置情報を取得する取得部と、
前記通知情報が所定のスケジュールに従って前記通信装置から受信されたかを判定する第１判定部と、
前記所定のスケジュールに従って受信されなかったと判定されると、過去に前記通信装置から受信した通知情報に基づいて取得した位置情報を出力する出力部と、
を備える情報処理装置。
【請求項２】
前記通信装置から前記通知情報を受信するための、位置に関する情報を含む強制受信指示を受信すると、前記強制受信指示に含まれる位置に関する情報と前記過去に前記通信装置から受信した通知情報に基づいて取得した位置情報とを比較することによって特定される前記通信装置に前記通知情報の送信を要求する要求部をさらに備えることを特徴とする請求項１に記載の情報処理装置。
【請求項３】
前記第１判定部が前記通知情報が前記所定のスケジュールに従って前記通信装置から受信されなかったと判定すると、前記通知情報が前記通信装置から前記スケジュール外で受信されたかを判定する第２判定部と、
前記第２判定部が前記通知情報が前記通信装置から前記スケジュール外で受信されたと判定すると、前記通信装置に関連する所定の処理を実行する処理実行部をさらに備えることを特徴とする請求項１又は請求項２に記載の情報処理装置。
【請求項４】
前記受信部は、前記通信装置のステータスに関するステータス情報をさらに受信し、
前記受信部が前記ステータス情報を受信すると、前記出力部は、前記通信装置の前記位置情報と対応付けて前記ステータス情報を出力することを特徴とする請求項１に記載の情報処理装置。
【請求項５】
前記通信装置は中継装置であり、
前記ステータス情報は、前記中継装置の回線に関する情報、前記中継装置の電源に関する情報及び前記中継装置に接続する端末に関する情報のうち少なくとも一つの情報を含むことを特徴とする請求項４に記載の情報処理装置。
【請求項６】
前記取得部は、前記通信装置の位置に関連する情報と前記通信装置の位置情報とを対応付けて記憶する記憶装置を参照して、前記通知情報に含まれる前記通信装置の位置に関連する情報に基づいて前記通信装置の位置情報を取得することを特徴とする請求項１から請求項４のいずれか一に記載の情報処理装置。
【請求項７】
前記出力部は、地図情報を記憶する記憶装置から取得される当該地図情報の上に前記位置情報を出力することを特徴とする請求項１から請求項６のいずれか一に記載の情報処理装置。
【請求項８】
前記所定の処理は、前記出力部に前記スケジュール外で受信された通知情報に基づいて取得した位置情報を出力するよう指示することであることを特徴とする請求項３に記載の情報処理装置。
【請求項９】
前記受信部が前記通信装置から前記通知情報として当該通信装置が異常に再起動したことを示す情報を受信した場合、前記処理実行部は、前記所定の処理として、前記通信装置が他の装置と通信を開始することを待機するよう指示する信号を送信することを特徴とする請求項３に記載の情報処理装置。
【請求項１０】
前記受信部が前記通信装置から前記通知情報として当該通信装置がダウンする直前であることを示す信号を受信した場合、前記処理実行部は、前記所定の処理として、前記通信装置が安全にダウンするための信号を送信することを特徴とする請求項３に記載の情報処理装置。
【請求項１１】
前記位置に関連する情報は、前記通信装置のＩＰアドレスであることを特徴とする請求項１に記載の情報処理装置。
【発明の詳細な説明】
【技術分野】
【０００１】
本発明は、情報処理装置に関する。
【背景技術】
【０００２】
従来、ネットワーク経路の途中に存在する装置の地理的位置情報を表示する技術がある（例えば、特許文献１）。
【先行技術文献】
【特許文献】
【０００３】
【特許文献１】特開２０１５−２３７８号公報
【発明の概要】
【発明が解決しようとする課題】
【０００４】
しかしながら、特許文献１に開示された技術では、ネットワーク経路の途中に存在する装置の地理的位置情報はわかるものの、当該装置の状態についてまでは把握することができない。
【０００５】
本発明は、上記のような従来技術に伴う課題を解決しようとするものであって、その目的とするところは、通信装置の状態について把握することができる情報処理装置を提供することにある。
【課題を解決するための手段】
【０００６】
本発明の一実施形態によれば、通信装置から情報を受信する受信部と、前記受信部が前記通信装置から当該通信装置の位置に関連する情報を含む通知情報を受信すると、当該通知情報に基づいて前記通信装置の位置情報を取得する取得部と、前記通知情報が所定のスケジュールに従って前記通信装置から受信されたかを判定する第１判定部と、前記所定のスケジュールに従って受信されなかったと判定されると、過去に前記通信装置から受信した通知情報に基づいて取得した位置情報を出力する出力部と、を備える情報処理装置が提供される。
【発明の効果】
【０００７】
本発明によれば、通信装置の状態について把握することができる情報処理装置を提供することができる。
【図面の簡単な説明】
【０００８】
【図１】本発明の一実施形態に係る通信システムの一例を示すブロック図である。
【図２】本発明の一実施形態に係る情報処理装置の構成例を示すブロック図である。
【図３】本発明の一実施形態に係る記憶部の一例を示すブロック図である。
【図４】本発明の一実施形態に係る中継装置の構成例を示すブロック図である。
【図５】本発明の一実施形態に係る情報処理装置の動作フローの一例を示す図である。
【図６】本発明の一実施形態に係る情報処理装置が表示する表示例を示す図である。
【図７】本発明の変形例に係る情報処理装置が表示する表示例を示す図である。
【発明を実施するための形態】
【０００９】
以下、本発明の一実施形態について、図面を参照しながら詳細に説明する。以下に示す実施形態は本発明の実施形態の一例であって、本発明はこれらの実施形態に限定されるものではない。なお、本実施形態で参照する図面において、同一部分または同様な機能を有する部分には同一の符号または類似の符号（数字の後にａ、ｂなどを付しただけの符号）を付し、その繰り返しの説明は省略する場合がある。
【００１０】
＜実施形態＞
［通信システム］
図１を用いて、本発明の一実施形態に係る通信システム１について説明する。図１は、本発明の一実施形態に係る通信システムの一例を示すブロック図である。通信システム１は、情報処理装置２、中継装置３ａから中継装置３ｎ、端末４ａから端末４ｆを備える。以降、各中継装置、各端末を特に区別する必要がない場合には、末尾のアルファベットを省略して、単に「中継装置３」や「端末４」と表記する。
【００１１】
情報処理装置２は、この例では、サーバである。中継装置３は、この例では、ルータである。ルータ（中継装置）３ｂと端末４ａ、端末４ｂとの間には、Ｌ３スイッチ（図示せず）やＬ２スイッチ（図示せず）を介してもよい。他のルータ３と端末４との間についても同様である。端末４は、ネットワークに接続可能な端末であればよく、例えば、パソコン、ＩＰ（Ｉｎｔｅｒｎｅｔ  Ｐｒｏｔｏｃｏｌ）カメラ、レコーダ、ＩＰ電話、ＰｏＥ（Ｐｏｗｅｒ  ｏｖｅｒ  Ｅｔｈｅｒｎｅｔ）スピーカ、ＰｏＥマイクなどである。ネットワーク５は、この例では、ＷＡＮ（Ｗｉｄｅ  Ａｒｅａ  Ｎｅｔｗｏｒｋ）である。
【００１２】
［情報処理装置の構成］
次に、図２を用いて、本発明の一実施形態に係る情報処理装置２について説明する。図２は、本発明の一実施形態に係る情報処理装置の構成例を示すブロック図である。情報処理装置２は、制御部３０、操作部４０、表示部５０、記憶部６０、接続部７０及び通信部９０を備える。これらの各構成はバスを介して接続されている。
【００１３】
制御部３０は、ＣＰＵなどの演算処理回路を含む。制御部３０は、記憶部６０に記憶されたプログラムをＣＰＵ（コンピュータ）により実行して、後述する取得処理、第１判定処理、出力処理等を行うための機能を実現する。取得処理、第１判定処理、出力処理は、それぞれ後述の取得部３２、第１判定部３３、出力部３４によって実現される。ここの機能を実現する構成の一部または全部は、プログラムの実行によってソフトウエアによって実現される場合に限られず、ハードウエアによって実現されてもよい。なお、制御部３０によって実現される機能は、上記処理を行う機能以外にも、装置各部を制御する機能を含む。
【００１４】
制御部３０は、受信部３１、取得部３２、第１判定部３３、出力部３４、要求部３５、第２判定部３６及び処理実行部３７を備える。
【００１５】
受信部３１は、中継装置３から情報を受信する。例えば、受信部３１は、中継装置３から通知情報を受信する。ここで、通知情報は、中継装置３から情報処理装置２に通知される情報で、中継装置３の位置に関連する情報を含む。通知情報は、中継装置３の識別情報（シリアル番号やＭＡＣアドレスなど）であってもよい。また、位置に関連する情報は、例えば、ＩＰアドレスである。ＩＰアドレスがわかれば、当該ＩＰアドレスを用いる中継装置３の位置を特定し得るからである。
【００１６】
受信部３１は、中継装置３のステータスに関するステータス情報をさらに受信してもよい。ステータス情報は、例えば、中継装置３の回線に関する情報、中継装置３の電源に関する情報などであるが、これらに限定されるものではない。中継装置３の回線に関する情報は、例えば、中継装置３が固定回線を用いているか、モバイル回線を用いているかといった情報である。中継装置３の電源に関する情報は、例えば、ＡＣ電源で駆動しているか、バッテリーで駆動しているかといった情報である。
【００１７】
取得部３２は、受信部３１が中継装置３から通知情報を受信すると、当該通知情報に基づいて、中継装置３の位置情報を取得する。具体的には、通知情報は、前述のとおり、中継装置３の位置に関連する情報を含んでいる。そして、中継装置３の位置に関連する情報が、中継装置３が用いるＩＰアドレスである場合、取得部３２は、ＩＰアドレスと中継装置３の位置情報とを対応付けて記憶する記憶部６０を参照して、中継装置３の位置情報を取得する。例えば、取得部３２は、図３が示す記憶部６０のＩＰアドレス１０１（例えば、「ＥＥＥ．ＦＦＦ．Ｇ．ＨＨ」）とこれに対応付けられている位置情報１０３（例えば、「東京都大田区蒲田…」）を参照して、中継装置３の位置情報である「東京都大田区蒲田…」を取得する。
【００１８】
他方、受信部３１が受信する中継装置３の位置に関連する情報が、位置情報そのものである場合もある。具体的には、中継装置３において、ＩＰアドレスと位置情報とを対応付けた記憶装置を参照して、自装置が用いるＩＰアドレスから位置情報を特定した上で、当該位置情報を情報処理装置２に送信する。そうすると、受信部３１は、位置に関連する情報として位置情報を受信するため、取得部３２は、記憶部６０を参照することなく、位置情報を取得することができる。
【００１９】
第１判定部３３は、通知情報が所定のスケジュールに従って中継装置３から受信されたかを判定する。所定のスケジュールは、例えば、１時間毎、１日毎、１週間毎といった定期的なものや、指定日時であってもよい。例えば、所定のスケジュールが１日毎である場合、受信部３１が中継装置３から通知情報を１回目に受信した際に、当該中継装置３のＩＰアドレス、中継装置３の識別情報（中継装置３のシリアル番号やＭＡＣアドレスなど）及び受信日時（２０１６／１２／９  １４時００分）を後述の記憶部６０に記憶する。次に受信部３１が中継装置３から通知情報を２回目に受信すると、同様に当該中継装置３のＩＰアドレス、中継装置３の識別情報（中継装置３のシリアル番号やＭＡＣアドレスなど）及び受信日時（２０１６／１２／１０  １４時００分）を記憶部６０に記憶する。そして、第１判定部３３は、記憶部６０に記憶されている受信時刻を参照して、２回目に通知情報を受信した受信日時が１回目に通知情報を受信した受信日時から１日であるかを判定する。なお、スケジュールは、後述の記憶部６０にスケジュール情報３１１として記憶されている。
【００２０】
ただし、中継装置３が定期的に通知情報を情報処理装置２に送信するよう設定していたとしても、情報処理装置２が受信する日時が想定よりもずれてしまうことはありうる。そこで、ずれを考慮して、２回目の受信日時が所定の時間ずれていても（例えば、想定より前１０秒）、すなわち、２０１６／１２／１０  １３時５９分５０秒であっても、第１判定部３３は、２回目に通知情報を受信した受信日時が１回目に通知情報を受信した受信日時から１日であるとの判定をする。
【００２１】
第１判定部３３が、通知情報が所定のスケジュールに従って中継装置３から受信されなかったと判定する場合、当該中継装置３は、災害などによって通信できない状態であることを意味する。そのため、第１判定部３３は、中継装置３が災害などによって通信できない状態であるかどうかを判定するともいえる。
【００２２】
出力部３４は、第１判定部３３によって、通知情報が所定のスケジュールに従って受信されなかったと判定されると、過去に中継装置３から受信した通知情報に基づいて取得した位置情報を出力する。過去に中継装置３から受信した通知情報は、複数、記憶部６０に記憶されている。そして、通常は最新の情報が望ましいことから、過去に中継装置３から受信した通知情報のうち、図３で示す受信日時２０５が最新のものを取得し、位置情報を取得した上で、出力部３４は、当該位置情報を出力する。なお、受信部３１がステータス情報をさらに受信すると、出力部３４は、中継装置３の位置情報と対応付けてステータス情報を出力してもよい。
【００２３】
要求部３５は、気象庁など外部の装置から緊急地震速報（強制受信指示）を受信すると、緊急地震速報に含まれる位置に関する情報と過去に中継装置３から受信した通知情報に基づいて取得した位置情報とを比較することによって特定される中継装置３に、通知情報の送信を要求する。例えば、緊急地震速報に、位置に関する情報として特定の地域Ａが含まれている場合、特定の地域Ａに該当する中継装置３が対象となる。記憶部６０に記憶されている過去のＩＰアドレスとこれに対応付けられる位置情報が特定の地域Ａに該当するかどうかを判断して、特定の地域Ａに該当すると判断された中継装置３に通知情報の送信を要求する。強制受信指示は、位置に関する情報を含み、中継装置３から通知情報を受信するための指示であれば、緊急地震速報に限定されるものではない。
【００２４】
第２判定部３６は、第１判定部が通知情報が所定のスケジュールに従って中継装置３から受信されなかったと判定すると、当該通知情報が中継装置３からスケジュール外で受信されたかを判定する。例えば、所定のスケジュールが１日毎である場合に、受信部３１が中継装置３から通知情報を１回目に受信したのが２０１６／１２／９  １４時００分であり、受信部３１が中継装置３から通知情報を２回目に受信したのが２０１６／１２／９  ２１時４５分５４秒であるとき、第１判定部は所定のスケジュールに従って受信されなかったと判定する。そして、第２判定部３６は、当該通知情報が中継装置３からスケジュール外で受信されたと判定する。なお、第２判定部３６が通知情報が所定のスケジュール外で中継装置３から受信されていないと判定した場合は、通知情報が中継装置３から受信されていないことを意味する。
【００２５】
処理実行部３７は、第２判定部３６が、通知情報が中継装置３からスケジュール外で受信されたと判定すると、中継装置３に関連する所定の処理を実行する。例えば、通知情報が中継装置３からスケジュール外で受信されたと判定された場合には、中継装置３が正常な状態にないことを意味する。そこで、処理実行部３７は、所定の処理として、例えば、管理者端末に対して、中継装置３が正常な状態にないことを示す情報をメールで送信する。
【００２６】
記憶部６０は、不揮発性メモリ、ハードディスク等の記憶装置である。記憶部６０は、上述したプログラムなど、様々な機能を実現するためのアプリケーションプログラムを記憶する記憶領域、後述の地図情報３０１などを記憶する記憶領域を含む。プログラムは、コンピュータにより実行可能であればよく、磁気記録媒体、光記録媒体、光磁気記録媒体、半導体メモリなどのコンピュータ読み取り可能な記録媒体に記憶した状態で提供されてもよい。この場合には、情報処理装置２は、記録媒体を読み取る装置を備えていてもよい。また、記憶部６０は、情報処理装置２の外部の装置にあってもよい。また、プログラムは、ネットワーク経由でダウンロードされてもよい。
【００２７】
ここで、図３を用いて記憶部６０に記憶される情報について説明する。図３は、本発明の一実施形態に係る記憶部の一例を示すブロック図である。記憶部６０には、ＩＰアドレス１０１と位置情報１０３とが対応付けて記憶されている。例えば、「ＡＡＡ．ＢＢ．ＣＣ．ＤＤ」のＩＰアドレス１０１と、「静岡県浜松市中区●●町」の位置情報１０３が対応付けられて記憶されている。また、記憶部６０には、中継装置３から受信した情報として、ＩＰアドレス２０１、識別情報（ＭＡＣアドレス）２０３、受信日時２０５、回線情報２０７及び電源情報２０９がそれぞれ対応付けられて記憶されている。例えば、「ＡＡＡ．ＢＢ．ＣＣ．ＤＤ」のＩＰアドレス２０１、「１２：３４：５６：７８：９０：ＡＢ」の識別情報２０３、「２０１６／１２／９  １４：００」の受信日時２０５、「固定回線」の回線情報２０７及び「ＡＣ電源」の電源情報２０９が対応付けられて記憶されている。
【００２８】
ＩＰアドレス２０１、識別情報２０３及び受信日時２０５が、前述の通知情報であり、ＩＰアドレス２０１が位置に関連する情報である。回線情報２０７及び電源情報２０９が、前述のステータス情報である。記憶部６０に記憶されるステータス情報としては、前述の中継装置３に接続される端末に関する情報も含んでよい。ＩＰアドレス１０１と位置情報１０３とが対応付けられていることから、この情報を参照して、ＩＰアドレス２０１にも位置情報を対応付けて記憶してもよい。記憶部６０に、ＩＰアドレス２０１に位置情報を対応付けて記憶すると、ＩＰアドレス２０１と受信日時２０５に対応付けられた位置情報を取得する際に、より容易に取得することが可能になる。このことは、ＩＰアドレス１０１と位置情報１０３とが外部の記憶装置に記憶されている場合に特に顕著となる。さらに、記憶部６０には、地図情報３０１も記憶されている。地図情報３０１は、図６及び図７で示される地図情報４０１を表示するのに用いられる。
【００２９】
再び図２に戻って説明する。操作部４０は、操作ボタンなどによりユーザが入力した操作に応じた信号を制御部３０に出力する。操作ボタンは、例えば、電源スイッチ、カーソルキーなどを含み、ユーザの指示を受け付ける操作子であればよい。表示部５０は、液晶ディスプレイ、有機ＥＬディスプレイ等の表示装置であり、制御部３０による制御に基づいた画面（設定画面など）を表示する。なお、操作部４０および表示部５０については、情報処理装置２が有していなくてもよい。この場合には、情報処理装置２に接続される外部装置において操作部４０および表示部５０に相当する機能が代用されてもよい。
【００３０】
接続部７０は、外部装置（例えば、中継装置３ａ）と接続するためのインターフェイスである。この例では、接続部７０と中継装置３ａとの接続は有線であっても無線であってもよい。通信部１９は、中継装置３と情報の送受信を行う。以上で情報処理装置２について説明した。
【００３１】
なお、情報処理装置２の最小構成は、破線で囲んだ受信部３１、取得部３２、第１判定部３３及び出力部３４である。その他の構成は、適宜に追加することが可能である。
【００３２】
［中継装置の構成］
図４を用いて、本発明の一実施形態に係る中継装置３について説明する。図４は、本発明の一実施形態に係る中継装置の構成例を示すブロック図である。中継装置３は、制御部１３０、操作部１４０、表示部１５０、記憶部１６０、接続部１７０及び通信部１９０を備える。操作部１４０、表示部１５０、接続部１７０及び通信部１９０については、それぞれ操作部４０、表示部５０、接続部７０及び通信部９０と同様であるため、ここでは詳細な説明は省略する。
【００３３】
制御部１３０は、ＣＰＵなどの演算処理回路を含む。制御部１３０は、記憶部１６０に記憶されたプログラムをＣＰＵ（コンピュータ）により実行して、後述する情報取得処理、指示受信処理等を行うための機能を実現する。情報取得処理、指示受信処理は、それぞれ後述の情報取得部１３５、指示受信部１３７によって実現される。ここの機能を実現する構成の一部または全部は、プログラムの実行によってソフトウエアによって実現される場合に限られず、ハードウエアによって実現されてもよい。なお、制御部１３０によって実現される機能は、上記処理を行う機能以外にも、装置各部を制御する機能を含む。
【００３４】
制御部１３０は、第１送信部１３１、第２送信部１３３、情報取得部１３５及び指示受信部１３７を備える。
【００３５】
第１送信部１３１は、前述の通知情報を情報処理装置２に送信する。また、第２送信部１３３は、前述のステータス情報を情報処理装置２に送信する。情報取得部１３５は、ステータス情報など中継装置３に関する情報を取得する。例えば、情報取得部１３５は、中継装置３の回線情報２０７や電源情報２０９を取得する。指示受信部１３７は、情報処理装置２の要求部３５から、通知情報を情報処理装置２に送信するよう要求を受信する。
【００３６】
第１記憶部１６１には、中継装置３の識別情報（シリアル番号、ＭＡＣアドレスなど）が記憶されている。また、第２記憶部１６３には、スケジュール情報が記憶されている。中継装置３は、第２記憶部１６３に記憶されたスケジュール情報を参照して、スケジュールに従って、情報処理装置２に前述の通知情報を送信する。以上で中継装置３について説明した。
【００３７】
［情報処理装置の動作フロー］
図５を用いて、本発明の一実施形態に係る情報処理装置２の動作フローについて説明する。図５は、本発明の一実施形態に係る情報処理装置の動作フローの一例を示す図である。
【００３８】
まず、第１判定部３３が、通知情報が所定のスケジュールに従って中継装置３から受信されたかどうか判定する（ステップＳ１０１）。通知情報が所定のスケジュールに従って中継装置３から受信されなかったと判定された場合（ステップＳ１０１でＮｏの場合）、第２判定部３６が、通知情報が所定のスケジュール外で中継装置３から受信されたかを判定する（ステップＳ１０３）。第２判定部３６が、通知情報が所定のスケジュール外で中継装置３から受信されていないと判定した場合（ステップＳ１０３でＮｏの場合）、出力部３４は、過去の通知情報に基づいて取得した位置情報を出力する（ステップＳ１０７）。他方、第２判定部３６が、通知情報が所定のスケジュール外で中継装置３から受信されたと判定した場合（ステップＳ１０３でＹｅｓの場合）、処理実行部３７は、中継装置に関連する所定の処理を実行する（ステップＳ１０５）。
【００３９】
一方、通知情報が所定のスケジュールに従って中継装置３から受信されたと判定された場合（ステップＳ１０１でＹｅｓの場合）、外部の装置から緊急地震速報（強制受信指示）を受信したかどうかを判断する（ステップＳ１１１）。外部の装置から緊急地震速報を受信していないと判断される場合（ステップＳ１１１でＮｏの場合）、ステップＳ１０１に戻る。他方、外部の装置から緊急地震速報を受信したと判断される場合（ステップＳ１１１でＹｅｓの場合）、要求部３５は、中継装置３に対し、通知情報を送信するように要求する（ステップＳ１１３）。
【００４０】
次に、中継装置３から通知情報を受信したかを判定する（ステップＳ１１５）。中継装置３から通知情報を受信しなかったと判定した場合（ステップＳ１１５でＮｏの場合）、出力部３４は、過去の通知情報に基づいて取得した位置情報を出力する（ステップＳ１０７）。中継装置３から通知情報を受信したと判定した場合（ステップＳ１１５でＹｅｓの場合）、出力部３４は、中継装置３から受信した通知情報に基づいて取得した位置情報を出力する。以上で情報処理装置２の動作フローの一例について説明した。
【００４１】
次に、図６を用いて、本発明の一実施形態に係る情報処理装置２が表示する表示内容について説明する。図６は、本発明の一実施形態に係る情報処理装置が表示する表示例を示す図である。
【００４２】
地図情報４０１は、記憶部６０に記憶されている地図情報３０１を表示部５０に表示したものである。すなわち、出力部３４は、地図情報３０１を出力してもよい。位置４０３は、通知情報が所定のスケジュールに従って中継装置３から受信されたと判定されたことを示すものである。すなわち、位置４０３で示される中継装置３は、正常に通信が可能な状態であるといえる。他方、位置４０５は、通知情報が所定のスケジュールに従って中継装置３から受信されなかったと判定されたものである。すなわち、位置４０５で示される中継装置３は、災害などによって正常に通信が可能である状態ではないといえる。図６の上図及び下図に示すように、画面が遷移するようにしてもよい。このように、正常に通信が可能な状態である中継装置３と災害などによって正常に通信が可能な状態ではない中継装置３とを地図情報４０１の上に表示することによって、どの地域の中継装置３が正常に通信が可能な状態ではないかを簡単に把握することができる。なお、位置４０３と位置４０５とは、色によって識別しているが、両者を識別することが可能であれば、形状等で識別してもよい。また、出力部３４は、地図情報４０１の上に位置情報（例えば、「東京都大田区蒲田…」）を出力してもよい。
【００４３】
＜変形例１＞
図７は、本発明の変形例に係る情報処理装置が表示する表示例を示す図である。本変形例では、上記の実施形態と、表示部５０の表示が異なる。表示部５０には、地図情報４０１、位置４０３、位置４０５に加えて、詳細情報４０７が表示される。詳細情報４０７は、位置４０３や位置４０５が示す中継装置３の地理情報やステータス情報である。図７では、中継装置Ａについて、ＩＰアドレス、地理情報、回線情報、電源情報が表示されている。図７では、中継装置Ａについてのみ詳細情報４０７が表示されているが、位置４０３及び位置４０５のすべての中継装置３について、対応する詳細情報４０７を表示してもよいし、位置４０５の中継装置３について、対応する詳細情報４０７を表示してもよい。位置４０５の中継装置３について、対応する詳細情報４０７を表示すれば、正常に通信が可能な状態ではない中継装置３についての詳細情報を簡単に把握することが可能となる。
【００４４】
もっとも、表示方法については、これに限定されるものではない。例えば、詳細情報４０７は、位置４０３又は位置４０５のいずれか一つをユーザが選択することによって、表示させるようにしてもよい。言い換えれば、ユーザの要求によって、出力部３４は、選択された位置に対応する詳細情報４０７を表示部５０に表示してもよい。このようにすれば、ユーザが知りたい詳細情報４０７のみを表示することができる。
【００４５】
＜変形例２＞
以上の実施形態及び変形例では、中継装置３がルータであることを前提に説明したが、中継装置３は、無線ＡＰ（Ａｃｃｅｓｓ  Ｐｏｉｎｔ）であってもよい。中継装置３が無線ＡＰである場合には、情報処理装置２の受信部３１は、ステータス情報として、さらに無線ＡＰ（中継装置）３に接続する端末４に関する情報を受信してもよい。中継装置３に接続する端末４に関する情報は、端末４の識別情報（ＭＡＣアドレスなど）、端末４と通信しているかどうかに関する情報などの情報である。
【００４６】
本変形例においても、上記実施形態と同様の効果を奏する。加えて、本変形例においては、受信部３１は、ステータス情報として、無線ＡＰと端末４が通信しているかどうかに関する情報を受信する。そして、前述のとおり、無線ＡＰの位置情報もわかる。そうすると、どこの無線ＡＰに端末４が通信接続しているかわかる。例えば、災害などによって建物が倒壊した場合でも、倒壊した建物に無線ＡＰがあり、かつ、当該無線ＡＰに端末４が通信接続していれば、当該建物の中に人がいることがわかる。
【００４７】
＜変形例３＞
以上の実施形態においては、処理実行部３７が行う所定の処理として、管理者端末に対して、中継装置３が正常な状態にないことを示す情報をメールで送信することを前提として説明した。もっとも、処理実行部３７が行う所定の処理としては、これに限定されるものではない。例えば、処理実行部３７は、出力部３４にスケジュール外で受信された通知情報に基づいて取得した位置情報を出力するよう指示してもよい。
【００４８】
また、受信部３１が中継装置３から通知情報として中継装置３が異常に再起動をしたことを示す情報を受信した場合には、処理実行部３７は、所定の処理として、中継装置３が他の装置と通信を開始することを待機するよう指示する信号を送信してもよい。ここで、ユーザが中継装置３の電源スイッチをＯＦＦにすると、中継装置３は、実際に電源をＯＦＦにする前に、ユーザによって電源スイッチがＯＦＦにされたことを示す情報を記録する。他方、例えば、停電などによって異常に電源がＯＦＦになった場合には、このような情報は記録されない。そして、停電などによって異常に電源がＯＦＦになった後、停電が止んで電源がＯＮになった場合、中継装置３は再起動することになる。この場合、中継装置３は、ユーザによって電源スイッチがＯＦＦにされたことを示す情報が記録されていないことを判断した上で、情報処理装置２に対し、中継装置３が異常に再起動をしたことを示す情報を送信する。また、待機指示については、通信を開始するまでの待機時間をランダムにしてもよい。
【００４９】
さらに、受信部３１が中継装置３から通知情報として中継装置がダウンする直前であることを示す信号を受信した場合、処理実行部３７は、所定の処理として、中継装置３が安全にダウンするための信号を送信してもよい。具体的には、中継装置３がバッテリーを搭載し、かつ、外部からも電源供給されている場合で、外部からの電源供給が途絶えた場合に、中継装置３は、ダウンする直前であるものとして、ダウンする直前であることを示す信号を情報処理装置２に送信することになる。なお、本変形例で説明した、受信部３１が中継装置３から通知情報として中継装置３が異常に再起動をしたことを示す情報を受信した場合や受信部３１が中継装置３から通知情報として中継装置がダウンする直前であることを示す信号を受信した場合は、通知情報が所定のスケジュール外で受信された場合の一例である。
【００５０】
＜変形例４＞
以上の実施形態においては、処理実行部３７が行う所定の処理として、管理者端末に対して、中継装置３が正常な状態にないことを示す情報をメールで送信することを前提として説明した。もっとも、処理実行部３７が行う所定の処理としては、これに限定されるものではない。前述のとおり、過去に中継装置３から受信した通知情報は、複数、記憶部６０に記憶されている。過去の通知情報が複数あることによって、通知情報が中継装置３からスケジュール外で受信されたかどうかの履歴もわかる。そこで、通知情報がスケジュール外で受信されたことが、過去の所定の数の通知情報のうち、所定の回数を超える場合には、当該中継装置３を介さないように、所定の処理として、経路を設定してもよい。
【００５１】
＜変形例５＞
以上の実施形態及び変形例では、中継装置３から当該中継装置３の位置に関連する情報を含む通知情報等を受信することを前提として説明した。もっとも、対象は中継装置３に限定されるものではなく、図１に示す端末４が対象となってもよい。この場合も、端末４の状態について把握することが可能になる。
【００５２】
なお、本発明は上記の実施形態に限られたものではなく、趣旨を逸脱しない範囲で適宜変更することが可能である。
【符号の説明】
【００５３】
１：通信システム  ２：情報処理装置  ３：中継装置  ４：端末
５：ネットワーク  ３０：制御部  ３１：受信部  ３２：取得部
３３：第１判定部  ３４：出力部  ３５：要求部  ３６：第２判定部
３７：処理実行部  ４０：操作部  ５０：表示部  ６０：記憶部
７０：接続部  ９０：通信部
【図１】
2018157464.tif 000003
【図２】
2018157464.tif 000004
【図３】
2018157464.tif 000005
【図４】
2018157464.tif 000006
【図５】
2018157464.tif 000007
【図６】
2018157464.tif 000008
【図７】
2018157464.tif 000009